(57)【特許請求の範囲】
【請求項１】
上部スリーブと下部スリーブとからなるクロージャーと、該クロージャー内に収容される、余長部収納ケースが配設されるケース取り付け部材とを有する光ファイバ心線配線装置において、前記ケース取り付け部材が、台座フレームを挟んで配設されたケース取り付け上部フレームとケース取り付け下部フレームとから構成されているとともに、前記ケース取り付け下部フレームが、前記台座フレームに対してスライド可能なスライド部材と、該スライド部材に対して回動可能な、余長部収納ケースが取り付けられる回動枠とから構成されており, 前記回動枠が回動し、前記スライド部材に並設された際には、前記回動枠に取り付けられる余長部収納ケースの蓋が上に位置するように構成されていることを特徴とする光ファイバ心線配線装置。
【請求項２】
上記クロージャーを構成する上部スリーブと下部スリーブとが、上記ケース取り付け上部フレーム及び上記ケース取り付け下部フレームに配設される余長部収納ケースの数に応じて、その深さの異なるものと交換可能であることを特徴とする請求項１に記載の光ファイバ心線配線装置。
【発明の詳細な説明】
【０００１】
【発明の属する技術分野】
本発明は、光ファイバ心線の余長部収納ケース等が配設された光ファイバ心線配線装置に関するものである。
【０００２】
【従来の技術】
従来、光ファイバ心線の余長部を収納する余長部収納ケースを、複数、配設したケース取り付け部材を、上部スリーブと下部スリーブに２分割された箱型のクロージャー内に収容するようにした光ファイバ心線配線装置が知られている。
【０００３】
【発明が解決しようとする課題】
従来の光ファイバ心線配線装置においては、ケース取り付け部材を構成するケース取付台の上面にのみに、複数の余長部収納ケースを載置するものであるので、多数の余長部収納ケースを、ケース取付台に載置する場合には、クロージャーを構成する上部スリーブを深いものにしなければならず、クロージャーを組立てた際に、下方に位置する浅い下部スリーブとのバランスが悪く、安定した状態でクロージャーを設置することができないという問題があった。
【０００４】
また、従来の光ファイバ心線配線装置においては、浅い下部スリーブと深い上部スリーブとの組合せのみであるので、クロージャー内に収容される余長部収納ケースの数が少ない場合には、クロージャー内に多くの無駄なスペースが発生し、全体として、高さの低いクロージャーで十分であるにもかかわらず、高さの高いクロージャーを使用しなければばらず、従って、クロージャーの取り付け空間の有効的な利用ができないという問題があった。
【０００５】
本発明の目的は、上述した従来の光ファイバ心線配線装置が有する課題を解決することにある。
【０００６】
【課題を解決するための手段】
本発明は、上述した目的を達成するために、上部スリーブと下部スリーブとからなるクロージャーと、該クロージャー内に収容される、余長部収納ケースが配設されるケース取り付け部材とを有する光ファイバ心線配線装置において、第１には、前記ケース取り付け部材が、台座フレームを挟んで配設されたケース取り付け上部フレームとケース取り付け下部フレームとから構成されているとともに、前記ケース取り付け下部フレームが、前記台座フレームに対してスライド可能なスライド部材と、該スライド部材に対して回動可能な、余長部収納ケースが取り付けられる回動枠とから構成されており, 前記回動枠が回動し、前記スライド部材に並設された際には、前記回動枠に取り付けられる余長部収納ケースの蓋が上に位置するように構成したものであり、第２には、前記クロージャーを構成する上部スリーブと下部スリーブとを、前記ケース取り付け上部フレーム及び前記ケース取り付け下部フレームに配設される余長部収納ケースの数に応じて、その深さの異なるものと交換可能としたものである。
【０００７】
【実施例】
以下に、本発明の実施例について説明するが、本発明の趣旨を越えない限り何ら、本実施例に限定されるものではない。
【０００８】
本実施例における光ファイバ心線配線装置は、上部スリーブｃ１と下部スリーブｃ２とからなるクロージャーＣと、適当数の余長部収納ケースＴ等を取り付けるケース取り付け部材Ｈとを有している。
【０００９】
先ず最初に、図１を用いて、横長の略筒状体を長手方向に２分割して形成された上部スリーブｃ１と下部スリーブｃ２とからなるクロージャーＣについて説明するが、深さが異なる以外は、上部スリーブｃ１と下部スリーブｃ２とは、同じ構造を有しているので、以下においては、原則として、下部スリーブｃ２についてのみ説明する。
【００１０】
１は、下部スリーブｃ２の長手方向の両端部に形成されたグロメット収容部であり、グロメット収容部１は、後述するグロメットＧの下半分が装着可能な半円筒状の空間部として形成されており、本実施例においては、下部スリーブｃ２の長手方向の両端部に、それぞれ、２個のグロメット収容部１が形成されている。グロメット収容部１の下部スリーブｃ２の長手方向の端部には、端壁２が、また、端壁２から、グロメットＧの略厚さ分だけ離れた位置には隔壁３が形成されている。また、端壁２及び隔壁３には、それぞれ、半円形状の切欠部２ａ、３ａが２個ずつ形成されている。上記の端壁２及び隔壁３を有するグロメット収容部１は、上部スリーブｃ１の長手方向の両端部にも形成されている。
【００１１】
上部スリーブｃ１と下部スリーブｃ２の分割面４には、上部スリーブｃ１と下部スリーブｃ２の略両端部まで延在する凹溝４ａが形成されており、紐状のシーリング部材が装着できるように構成されている。
【００１２】
本実施例においては、下部スリーブｃ２の深さ（下部スリーブｃ２の底部５の上面から、下部スリーブｃ２の側壁６の分割面４までの高さ）は、上部スリーブｃ１の深さ（上部スリーブｃ１の天部７の裏面から、上部スリーブｃ１の側壁８の分割面４までの高さ）より、低く形成されている。
【００１３】
ゴムや軟質合成樹脂等の軟質弾性材で形成された略円筒状のグロメットＧには、光通信ケーブルが挿通される挿通孔ｇ１が形成されており、また、グロメットＧには、挿通孔ｇ１の内周面からグロメットＧの外周面にまで達する切り裂き部ｇ２が形成されている。そして、この切り裂き部ｇ２から、グロメットＧを半割状に開いて、この開かれた間隙から、挿通孔ｇ１に光通信ケーブルを挿着することができるように構成されている。なお、ｇ３は、必要に応じて、グロメットＧの外周面から半径方向に突設された凸条であり、連接されたグロメット収容部１に、２つのグロメットＧを挿入する際には、図１に示されているように、隣接するグロメットＧの凸条ｇ３を重ねるように配置し、重なった凸条ｇ３部分が、隣接するグロメット収容部１間に形成された凹部９に嵌合するように構成されている。
【００１４】
次に、図１〜図１０を用いて、クロージャーＣ内に収容されるケース取り付け部材Ｈについて説明する。
【００１５】
余長部収納ケースＴを取り付けるケース取り付け部材Ｈは、平面形状が略長方形状で、長手方向に垂直な断面形状が、略逆Ｕ字状の台座フレーム１０を有しており、台座フレーム１０の両端部の上面には、略Ｉ字状のケーブル保持枠１１が取着されている。ケーブル保持枠１１の垂直壁面１１ａには、細長の平板の中央部を外側に彎曲させて形成された半円形部１２ａ１を有する半体１２ａを、一対、半円形部１２ａ１の両端部に形成された平坦部１２ａ２を当接することにより形成されるケーブル留め具１２が、平坦部１２ａ２に穿設された透孔に螺子１３を挿通するとともに、螺子１３を、ケーブル保持枠１１の垂直壁面１１ａに形成された螺子孔に螺合させることにより取り付けられるように構成されている。一対の半体１２ａの平坦部１２ａ２を当接することにより、ケーブル留め具１２には、光通信ケーブルが挿通され、保持される孔１２ｂが形成されるように構成されており、また、ケーブル留め具１２に保持される光通信ケーブルが、孔１２ｂから抜けないように、半円形部１２ａ１の内周面には、係止突起１２ｃを形成することが好ましい。
【００１６】
１４は、ケース取り付け部材Ｈを構成するケース取り付け上部フレームであり、ケース取り付け上部フレーム１４は、平板を略Ｕ字状に折り曲げることにより形成された基部１４ａと、基部１４ａの一方の垂直壁１４ａ１の上端部に形成されたヒンジ部１４ｂにヒンジ結合されたケース載置部１４ｃとを有している。ケース載置部１４ｃの載置板部１４ｃ１の上面に、ボルト・ナット等からなる適当な固着具１４ｄにより、１個の余長部収納ケースＴ１が取り付けられ、該余長部収納ケースＴ１には、余長部収納ケースＴに形成されたヒンジ部を介して、複数の余長部収納ケースＴが重なるように取り付けられるように構成されている。このような余長部収納ケースＴの取り付け手段は、公知であるので、詳細な説明は省略する。
【００１７】
ケース載置部１４ｃの載置板部１４ｃ１の両端部から垂下された一方の垂直壁１４ｃ２の下端部は、上述した、基部１４ａの一方の垂直壁１４ａ１の上端部に形成されたヒンジ部１４ｂとヒンジ結合されており、また、ケース載置部１４ｃの載置板部１４ｃ１の両端部から垂下されたもう一方の垂直壁１４ｃ２の下端部には、垂直壁１４ｃ２に対して略垂直で、外側に延在する案内片１４ｃ３が形成されているとともに、垂直壁１４ｃ２には係止孔１４ｃ４が穿設されている。また、基部１４ａのもう一方の垂直壁１４ａ１の上端部から、垂直壁１４ａ１に対して略垂直で、内側に延在する案内片１４ａ２が形成されているとともに、垂直壁１４ａ１の外側面には、ケース載置部１４ｃの垂直壁１４ｃ２に穿設された係止孔１４ｃ４に嵌合される係止突起１４ａ３が突設されている。
【００１８】
上述した構成を有するケース取り付け上部フレーム１４は、基部１４ａの水平部１４ａ４を、台座フレーム１０に載置するとともに、ボルト・ナット等の適当な固着具１４ｅを用いて、台座フレーム１０に取着されている。
【００１９】
１５は、台座フレーム１０に取着されたケース取り付け上部フレーム１４と、台座フレーム１０の両端部に取着されたケーブル保持枠１１との間に位置する台座フレーム１０上に取り付けられたテンションメンバー部材である。テンションメンバー部材１５は、下端が台座フレーム１０に取着された垂直部１５ａ１と、該垂直部１５ａ１の上端から水平方向に延在する水平部１５ａ２とからなる台座金具１５ａと、水平部１５ｂ１と、水平部１５ｂ１の両端から垂下された垂直部１５ｂ２とからなる挟持金具１５ｂとを有しており、挟持金具１５ｂの垂直部１５ｂ２の中央部には、垂直部１５ｂ２の上端から下端まで延びる縦長のスリット１５ｂ３が形成されている。台座金具１５ａの水平部１５ａ１に、挟持金具１５ｂの水平部１５ｂ１載置するとともに、挟持金具１５ｂの水平部１５ｂ１に穿設された適当数の透孔に、螺子１５ｃを挿通し、螺子１５ｃの先端部を、台座金具１５ａの水平部１５ａ１に形成された螺子孔に螺合させることにより、挟持金具１５ｂを、台座金具１５ａに取り付けるように構成されている。
【００２０】
テンションメンバー部材１５の螺子１５ｃを緩めて、挟持金具１５ｂを持ち上げ、台座金具１５ａの水平部１５ａ１と挟持金具１５ｂの水平部１５ｂ１に間隙を形成し、該間隙に、光通信ケーブルのテンションメンバーを配置するとともに、スリット１５ｂ３に挿通した後、螺子１５ｃを締まる方向に回転させて、台座金具１５ａの水平部１５ａ１と挟持金具１５ｂの水平部１５ｂ１により、テンションメンバーを挟持するように構成されている。
【００２１】
上述した構成を有するテンションメンバー部材１５は、適当数、台座フレーム１０に取着されている。本実施例には、台座フレーム１０に取着されたケース取り付け上部フレーム１４と台座フレーム１０の両端部に取着されたケーブル保持枠１１との間に位置する台座フレーム１０に、それぞれ、２個、合計４個のテンションメンバー部材１５が取着されている例が示されている。
【００２２】
次に、主として、図３〜図５を用いて、ケース取り付け部材Ｈを構成するケース取り付け下部フレーム１６について説明する。
【００２３】
１６ａは、台座フレーム１０の下部に、溶接等やボルト・ナット等の適当な固着手段により取着された固定水平板である。台座フレーム１０からはみ出した固定水平板１６ａの端部領域には、台座フレーム１０の長手方向に沿って所定の間隔を置いて２個の透孔が穿設されており、該２個の透孔には、固定水平板１６ａの裏側から、ボルト１６ｂが、ボルト１６ｂの頭部１６ｂ１が下に位置するように、それぞれ挿通されており、ボルト１６ｂは、ナット１６ｃを螺合させることにより、固定水平板１６ａに取り付けられている。
【００２４】
１６ｄは、長手方向に垂直な断面形状が、略逆Ｕ字状のスライド部材であり、スライド部材１６ｄの水平部１６ｄ１には、スライド部材１６ｄの長手方向に沿って、２条のスリット１６ｄ２が、上述した固定水平板１６ａに取着された２本のボルト１６ｂの間隔と略同じ間隔で形成されている。スリット１６ｄ２は、ボルト１６ｂの軸部１６ｂ２は通すが、頭部１６ｂ１は通さないような幅に形成されている。スライド部材１６ｄのスリット１６ｄ２に、下からボルト１６ｂの軸部１６ｂ２を挿通するとともに、上述したように、ボルト１６ｂを、ボルト１６ｂの頭部１６ｂ１が下に位置するように、固定水平板１６ａに穿設された透孔に挿通し、該透孔から出たボルト１６ｂの軸部１６ｂ２に、ナット１６ｃを螺合させることにより、スライド部材１６ｄを、固定水平板１６ａに対してスライド可能に取り付けるように構成されている。
【００２５】
スライド部材１６ｄの水平部１６ｄ１の長手方向の両端から下方に延在する垂直壁１６ｄ３は、水平部１６ｄ１を越えて延在して、延長垂直壁部１６ｄ３’を形成している。延長垂直壁部１６ｄ３’に形成されて透孔には、固定軸１６ｅが、延長垂直壁部１６ｄ３’に対して垂直に嵌入されており、固定軸１６ｅの両端部は、延長垂直壁部１６ｄ３’を越えて外側に延在している。また、延長垂直壁部１６ｄ３’の先端部付近には、延長垂直壁部１６ｄ３’の長手方向に沿って、横長溝１６ｆが形成されており、横長溝１６ｆには、移動軸１６ｇが挿入されている。横長溝１６ｆに挿入された移動軸１６ｇの両端部も、延長垂直壁部１６ｄ３’を越えて外側に延在している。そして、延長垂直壁部１６ｄ３’間に位置する固定軸１６ｅと移動軸１６ｇとの間には、圧縮コイルスプリング１６ｈが、所定の間隔を置いて、複数本（実施例では、２本）張設されており、圧縮コイルスプリング１６ｈの付勢力により、移送軸１６ｇは、横長溝１６ｆの固定軸１６ｅ側端部に当接するように構成されている。
【００２６】
１６ｋは、回動枠であり、回動枠１６ｋは、水平部１６ｋ１と、水平部１６ｋ１の長手方向の両端から上方に延在する垂直壁１６ｋ２とからなり、回動枠１６ｋの垂直壁１６ｋ２は、組み立てた際に、スライド部材１６ｄの垂直壁１６ｄ３の外側に隣接して位置するように構成されている。垂直壁１６ｋ２の先端付近には、透孔１６ｋ３が穿設されており、透孔１６ｋ３に、上述したスライド部材１６ｄに配設された移動軸１６ｇの端部が嵌入されている。また、透孔１６ｋ３を挟んで、先端部と反対側に位置する垂直壁１６ｋ２には、垂直壁１６ｋ２の長手方向に対して略垂直で、且つ、上部が開口した縦溝部１６ｍ１と、縦長溝部１６ｍ１の底部から垂直壁１６ｋ２の先端部方向に延在する横溝部１６ｍ２とからなる係止溝１６ｍが形成されている。この係止溝１６ｍに、上述したスライド部材１６ｄの延長垂直壁部１６ｄ３’に取着された固定軸１６ｅの端部が挿入されるように構成されている。回動枠１６ｋの垂直壁１６ｋ２と、スライド部材１６ｄの垂直壁１６ｄ３及び延長垂直壁部１６ｄ３’が重なるように配置された際には、固定軸１６ｅと移送軸１６ｇとの間に張設された圧縮コイルスプリング１６ｈの付勢力により、移送軸１６ｇに取着されている回動枠１６ｋが、台座フレーム１０方向に付勢されて、固定軸１６ｅが、回動枠１６ｋの垂直壁１６ｋ２に形成された係止溝１６ｍの横溝部１６ｍ２内に位置するように構成されている。更に、回動枠１６ｋの垂直壁１６ｋ２の先端部には、凹部１６ｋ４が形成されている。
【００２７】
回動枠１６ｋの垂直壁１６ｋ２が延在する側と反対側に位置する水平部１６ｋ１の面には、ボルト・ナット等からなる適当な固着具により、１個の余長部収納ケースＴ２が、蓋ｔ１を下にして取り付けられており、該余長部収納ケースＴ１には、余長部収納ケースＴに形成されたヒンジ部を介して、複数の余長部収納ケースＴが重なるように取り付けられるように構成されている。なお、本実施例には、１個の余長部収納ケースＴ１のみが、水平部１６ｋ１に取り付けられている例が示されている。
【００２８】
図示されていない一方の光通信ケーブルを、ケーブル留め具１２を形成する一対の半体１２ａの半円形部１２ａ１に挟持するとともに、一対の半体１２ａを、螺子１３を用いて、台座フレーム１０の一方の端部に取着されたケーブル保持枠１１に取着する。また、光通信ケーブルのテンションメンバーは、上述したように、台座金具１５ａの水平部１５ａ２と挟持金具１５ｂの水平部１５ｂ１により挟持する。光通信ケーブルを構成する光ファイバ心線の余長部は、ケース取り付け上部フレーム１４或いはケース取り付け下部フレーム１６に配設された、適当な余長部収納ケースＴに収容され、台座フレーム１０のもう一方の端部に取着されたケーブル保持枠１１に取着された光通信ケーブルの光ファイバ心線と接続されている。余長部収納ケースＴ内に余長部を収容しない光ファイバ心線は、図２に示されているように、ヒンジ部１４ｂを中心に、ケース載置部１４ｃを上方に回動させた状態で、基部１４ａの上に載置した後、ケース載置部１４ｃを下方に回動させて、ケース載置部１４ｃの垂直壁１４ｃ２に形成されている案内片１４ｃ３を、基部１４ａの垂直壁１４ａ１に形成されている案内片１４ａ２に当接させ、ガイドさせながら、更に下方に回動させて、ケース載置部１４ｃの垂直壁１４ｃ２に穿設された係止孔１４ｃ４に、基部１４ａの垂直壁１４ａ１に突設されている係止突起１４ａ３を嵌合させて、ケース取り付け上部フレーム１４を構成する基部１４ａとケース載置部１４ｃとを係合させる。
【００２９】
図２に示されているように、ケース取り付け上部フレーム１４を構成する基部１４ａとケース載置部１４ｃとが係合され、且つ、ケース取り付け下部フレーム１６が、ケース取り付け上部フレーム１４に重なるように下方に位置した状態のケース取り付け部材Ｈを、クロージャーＣを構成する上部スリーブｃ１と下部スリーブｃ２により挟持するようにして、クロージャーＣ内に収容する。この際、上述したように、光通信ケーブルは、グロメット収容部１に収容されたグロメットＧの挿通孔ｇ１に挿通されるとともに、上部スリーブｃ１と下部スリーブｃ２の分割面４に形成されている凹溝４ａには、紐状のシーリング部材が装着される。その後、分割面４同士が接合された上部スリーブｃ１と下部スリーブｃ２は、図示されていない公知の締結バンド等により締結されて、光ファイバ心線配線装置が組み立てられる。
【００３０】
光ファイバ心線の心線替えを行う場合には、上部スリーブｃ１と下部スリーブｃ２とを締結している公知の締結バンドを取り外して、クロージャーＣから光ファイバ心線配線装置を取り出す。そして、ケース取り付け上部フレーム１４に配設されている余長部収納ケースＴ内に収容されている光ファイバ心線の心線替えを行う場合には、所望の余長部収納ケースＴの上方に位置する余長部収納ケースＴを、ヒンジ部を中心に、上方に回動させて、所望の余長部収納ケースＴを開けて、光ファイバ心線の心線替え作業を行う。
【００３１】
ケース取り付け下部フレーム１６に配設されている余長部収納ケースＴ２内に収容されている光ファイバ心線の心線替えを行う場合には、余長部収納ケースＴ２や回動枠１６ｋ等を手で持って、手前に引き出すと、スライド部材１６ｄは、スライド部材１６ｄに形成されたスリット１６ｄ２に挿入されているボルト１６ｂに案内されながら、スライド部材１６ｄが、図４及び図５に示されているように、引き出される。この際、移動軸１６ｇを介してスライド部材１６ｄに配設されている回動枠１６ｋも同時に、手前に引き出されることになる。スライド部材１６ｄと一緒に、手前に引き出された回動枠１６は、回動枠１６の垂直壁１６ｋ２に形成された係止溝１６ｍの横溝部１６ｍ２に、スライド部材１６ｄの延長垂直壁部１６ｄ３’に取着された固定軸１６ｅの端部が嵌入しているので、移動軸１６ｇを中心に下方に回動することはない。
【００３２】
次いで、スライド部材１６ｄの延長垂直壁部１６ｄ３’に形成されている横長溝１６ｆに、その端部が挿入されている移動軸１６ｇを、圧縮コイルスプリング１６ｈの付勢力に抗して手前に移動させると、移動軸１６ｇの両端部に取着されている回動枠１６ｋが手前に移動し、回動枠１６ｋの垂直壁１６ｋ２に形成されている係止溝１６ｍの横溝部１６ｍ２に挿入されていた、スライド部材１６ｄに取着された固定軸１６ｅの端部が、係止溝１６ｍの縦溝部１６ｍ１に移動する。その後、回動枠１６ｋを、移動軸１６ｇを中心に、下方に回動させると、係止溝１６ｍの縦溝部１６ｍ１に移動した固定軸１６ｅは、係止溝１６ｍから外れるので、回動枠１６ｋは、図７に示されているように、移動軸１６ｇを中心に更に回動し、図８及び図９に示されているように、回動枠１６ｋに配設されている余長部収納ケースＴ２が、蓋ｔ１を上にして、略水平状態になるまで回動を続行する。余長部収納ケースＴ２が、略水平状態になった時点で、回動枠１６ｋの垂直壁１６ｋ２の先端部に形成されている凹部１６ｋ４に、図８及び図９に示されているように、スライド部材１６ｄに取着された固定軸１６ｅが嵌入する。この際、回動枠１６ｋは、圧縮コイルスプリング１６ｈの付勢力により、固定軸１６ｅ方向に付勢されているので、回動枠１６ｋは、水平状態を維持することができる。このように、スライド部材１６ｄに対して回動枠１６を回動させて、回動枠１６が、スライド部材１６ｄに重ねられるように、スライド部材１６ｄの下方に位置する状態から、回動枠１６が、スライド部材１６ｄの側方に、スライド部材１６ｄに並設された状態になるようにする。この状態で、回動枠１６ｋに配設されている余長部収納ケースＴ２の蓋ｔ１を上方に回動させて、余長部収納ケースＴ２を開けて、適宜、光ファイバ心線の心線替え作業を行う。
【００３３】
上述したように、ケース取り付け下部フレーム１６が、台座フレーム１０に対してスライド可能なスライド部材１６ｄと、該スライド部材１６ｄに対して回動可能な、余長部収納ケースＴ２が取り付けられる回動枠１６ｋとからなるとともに、回動枠１６ｋが回動し、スライド部材１６ｄに並設された際には、回動枠１６ｋに取り付けられた余長部収納ケースＴ２の蓋ｔ１が上に位置するように構成したので、ケース取り付け下部フレーム１６に取り付けられた余長部収納ケースＴ２に収納されている光ファイバ心線の心線換え作業の作業性が向上する。
【００３４】
回動枠１６ｋに配設されている余長部収納ケースＴ２の光ファイバ心線の心線替え作業が終了した後は、水平状態の回動枠１６ｋを、圧縮コイルスプリング１６ｈの付勢力に抗して手前に移動させて、回動枠１６ｋの垂直壁１６ｋ２の先端部に形成されている凹部１６ｋ４と、スライド部材１６ｄに取着された固定軸１６ｅとの係合状態を解除するとともに、回動枠１６ｋを、移動軸１６ｇを中心に、下方に回動させて、回動枠１６ｋを、スライド部材１６ｄの下方に、重なるように配置すると、スライド部材１６ｄに取着された固定軸１６ｅの端部が、回動枠１６ｋに形成された係止溝１６ｍの縦溝部１６ｍ１に挿入される。回動枠１６ｋに形成された係止溝１６ｍの縦溝部１６ｍ１に挿入された固定軸１６ｅは、圧縮コイルスプリング１６ｈの付勢力により、台座フレーム１０方向に付勢されている回動枠１６ｋの台座フレーム１０方向への移動により、係止溝１６ｍの横溝部１６ｍ２内に移動し、回動枠１６ｋを、スライド部材１６ｄの下方に、重なるように係止する。その後、余長部収納ケースＴ２或いは回動枠１６ｋを押し込むと、スライド部材１６ｄは、スライド部材１６ｄに形成されたスリット１６ｄ２に挿入されているボルト１６ｂに案内されながら、回動枠１６ｋとともに、台座フレーム１０方向に移動し、図２に示されているように、ケース取り付け下部フレーム１６が、ケース取り付け上部フレーム１４に重なるように下方に位置した状態となる。その後、このような状態の光ファイバ心線配線装置を、上述したと同様に、クロージャーＣ内に収容する。
【００３５】
上述したように、図１〜図１０に示されている実施例は、下部スリーブｃ２の深さが、上部スリーブｃ１の深さより浅く構成されており、従って、ケース取り付け下部フレーム１６には、ケース取り付け上部フレーム１４より、少ない余長部収納ケースＴが配設されることになる。本実施例では、ケース取り付け上部フレーム１４に、７個の余長部収納ケースＴが配設され、ケース取り付け下部フレーム１６には、１個の余長部収納ケースＴが配設されている。
【００３６】
図１１に示されている実施例は、下部スリーブｃ２を、上述した深い上部スリーブｃ１と同じスリーブで構成したものであり、このように構成することにより、ケース取り付け下部フレーム１６にも、ケース取り付け上部フレーム１４と同様に、多くの余長部収納ケースＴを配設することができ、全体として、クロージャーＣ内に、多数の余長部収納ケースＴを収容することができる。
【００３７】
図１２に示されている実施例は、上部スリーブｃ１を、上述した浅い下部スリーブｃ２と同じスリーブで構成したものであり、このように構成することにより、少ない余長部収納ケースＴを収容した際に、上述したように深い上部スリーブｃ１を使用した際の無駄なスペースを無くすことができ、全体として、クロージャーＣ自体を小さくすることができ、従って、クロージャーＣの配設スペースを少なくすることができる。
【００３８】
上述したように、深いスリーブ同士により、クロージャーを構成することにより、多数の余長部収納ケースが配設されたケース取り付け部材を、クロージャー内に収容することができ、また、浅いスリーブ同士により、クロージャーを構成することにより、少数の余長部収納ケースが配設されたケース取り付け部材を、スペースを無駄にすることなく、クロージャー内に収容することができる。このように、深いスリーブと浅いスリーブとを、適宜、組み合わせることにより、ケース取り付け部材に配設された余長部収納ケースの数に応じた適切な対応が可能となる。
【００３９】
【発明の効果】
本発明は、以上説明した構成を有しているので、以下に記載する効果を奏するものである。
【００４０】
ケース取り付け部材を、ケース取り付け上部フレームとケース取り付け下部フレームとにより構成したので、クロージャーを構成するスリーブの深さを深くすることなく、より多くの余長部収納ケースを、ケース取り付け部材に取り付けることができる。
【００４１】
ケース取り付け下部フレームが、台座フレームに対してスライド可能なスライド部材と、該スライド部材に対して回動可能な、余長部収納ケースが取り付けられる回動枠とからなるとともに、回動枠が回動し、スライド部材に並設された際には、回動枠に取り付けられた余長部収納ケースの蓋が上に位置するように構成したので、ケース取り付け下部フレームに取り付けられた余長部収納ケースに収納されている光ファイバ心線の心線換え作業の作業性が向上する。
【００４２】
上部スリーブと下部スリーブとを、ケース取り付け上部フレーム及びケース取り付け下部フレームに配設される余長部収納ケースの数に応じて、その深さの異なるものと交換可能としたので、クロージャー内に、無駄なスペースが存在することがなく、従って、全体として、クロージャー自体を小さくすることができ、クロージャーの配設スペースを少なくすることができる。
【００４３】
上部スリーブと下部スリーブとを、共に、深さの深い同一形状のスリーブにより構成したので、より多くの余長部収納ケースを、ケース取り付け部材に取り付けることができる。
【００４４】
上部スリーブと下部スリーブとを、共に、深さの浅い同一形状のスリーブにより構成したので、少ない余長部収納ケースを収容した際に、深いスリーブを使用した際の無駄なスペースを無くすことができ、全体として、クロージャー自体を小さくすることができ、従って、クロージャーの配設スペースを少なくすることができる。
【図面の簡単な説明】
【図１】図１は本発明の光ファイバ心線配線装置の分解斜視図である。
【図２】図２は本発明の光ファイバ心線配線装置を構成するケース取り付け部材の斜視図である。
【図３】図３は本発明の光ファイバ心線配線装置を構成するケース取り付け部材の部分拡大斜視図である。
【図４】図４はケース取り付け下部フレームが引き出された状態の本発明の光ファイバ心線配線装置を構成するケース取り付け部材の斜視図である。
【図５】図５は図４に示されている本発明の光ファイバ心線配線装置を構成するケース取り付け部材の側面図である。
【図６】図６は同じくケース取り付け下部フレームが引き出された状態の本発明の光ファイバ心線配線装置を構成するケース取り付け部材の斜視図である。
【図７】図７は同じくケース取り付け下部フレームが引き出された状態の本発明の光ファイバ心線配線装置を構成するケース取り付け部材の斜視図である。
【図８】図８は同じくケース取り付け下部フレームが引き出された状態の本発明の光ファイバ心線配線装置を構成するケース取り付け部材の斜視図である。
【図９】図９は図８に示されている本発明の光ファイバ心線配線装置を構成するケース取り付け部材の側面図である。
【図１０】図１０は同じくケース取り付け下部フレームが引き出された状態の本発明の光ファイバ心線配線装置を構成するケース取り付け部材の斜視図である。
【図１１】図１１は本発明の別の実施例の光ファイバ心線配線装置の分解斜視図である。
【図１２】図１２は本発明の更に別の実施例の光ファイバ心線配線装置の分解斜視図である。
【符号の説明】
Ｃ・・・・・・・・・クロージャー
Ｈ・・・・・・・・・ケース取り付け部材
Ｔ・・・・・・・・・余長部収納ケース
ｃ１・・・・・・・・上部スリーブ
ｃ２・・・・・・・・下部スリーブ
１４・・・・・・・・ケース取り付け上部フレーム
１６・・・・・・・・ケース取り付け下部フレーム
１６ｄ・・・・・・・スライド部材
１６ｋ・・・・・・・回動枠
【図１】
0003795731.tif 000002
【図２】
0003795731.tif 000003
【図３】
0003795731.tif 000004
【図４】
0003795731.tif 000005
【図５】
0003795731.tif 000006
【図６】
0003795731.tif 000007
【図７】
0003795731.tif 000008
【図８】
0003795731.tif 000009
【図９】
0003795731.tif 000010
【図１０】
0003795731.tif 000011
【図１１】
0003795731.tif 000012
【図１２】
0003795731.tif 000013